(57)【特許請求の範囲】
【請求項１】
カメラ本体部と、該カメラ本体部に回転可能に設けられた撮影レンズユニット部を備え、前記カメラ本体部に撮影範囲表示手段を含む光学ファインダ−を設けたデジタルスチルカメラにおいて、
前記撮影レンズユニット部の撮影レンズの光軸と前記カメラ本体部の光学ファインダ−の光軸が平行になったとき前記撮影範囲表示手段に撮影許可情報を表示する撮影許可情報表示手段を設けたことを特徴とするデジタルスチルカメラ。
【請求項２】
前記カメラ本体部に、前記撮影レンズユニット部の回転位置検出手段を設け、前記撮影レンズユニット部の撮影レンズの光軸と前記光学ファインダ−の光軸が平行になる回転位置を前記回転位置検出手段が検出したとき、前記撮影範囲表示手段に撮影許可情報を表示するように構成したことを特徴とする請求項１に記載のデジタルスチルカメラ。
【請求項３】
前記撮影レンズユニット部の回転位置検出手段は、
前記撮影レンズユニット部に設けられた回転軸と、
前記回転軸に固定され、外周部の一部に切欠溝が形成された回転盤と、
前記回転盤の外周部と対応した位置に設けられたクリック棒と、
前記クリック棒の動きに応動して接離するスイッチ手段とを備え、
前記撮影レンズユニット部が所定方向を向いたとき、前記クリック棒が前記回転盤の切欠溝に係入し、前記スイッチ手段が作動するように構成したことを特徴とする請求項２に記載のデジタルスチルカメラ。
【請求項４】
前記撮影範囲表示手段は液晶式視野マスクであり、撮影範囲表示部分が撮影許可時に透光状態、撮影不許可時に遮光状態に駆動するように構成したこと特徴とする請求項１から請求項３のいずれかに記載のデジタルスチルカメラ。
【請求項５】
前記撮影範囲表示手段は、視野マスクの枠部に設けられた警報表示用の発光素子であることを特徴とする請求項１から請求項３のいずれかに記載のデジタルスチルカメラ。
【発明の詳細な説明】
【０００１】
【発明の属する技術分野】
本発明は、光学ファインダ−を有するカメラ本体部に、撮影レンズユニット部が回転可能に設けられたデジタルスチルカメラに関する。
【０００２】
【従来の技術】
撮影画面表示用の液晶表示装置（ＬＣＤ）を有するカメラ本体部に、撮影レンズユニット部を回転可能に設けたデジタルスチルカメラが知られている。このようなデジタルスチルカメラでは液晶表示装置の映像を確認しながら撮影レンズユニット部を適宜回転させて好みの方向にある被写体を撮影することができる。また、カメラ本体部に光学ファインダ−を設け、バッテリ−の省電等の目的で前記液晶表示装置と切り替え、光学ファインダ−で覗きながら撮影できるようにしたものも知られている。しかしながら、このように光学ファインダ−をカメラ本体部に設けた場合、撮影レンズユニット部が回転可能であるため、回転位置によって撮影レンズユニット部の撮影レンズの光軸と光学ファインダ−の光軸にズレが生じ、撮影レンズユニット部における撮影範囲が光学ファインダ−の撮影範囲とズレて、極端な場合には光学ファインダ−が表示する被写体像とは別の被写体が撮影される等のトラブルを起こす可能性がある。
【０００３】
この対策として、光学ファインダ−を撮影レンズユニット部に設けることにより、両光軸を常に平行に設定することもできるが、撮影レンズユニット部の内部にさらに光学ファインダ−を設けるスペ−スが必要となり、撮影レンズユニット部が大型化し、カメラ全体のデザインがアンバランスになる等の問題がある。
【０００４】
【発明が解決しようとする課題】
したがって、本発明の解決課題は、光学ファインダ−を備えたカメラ本体部に撮影レンズユニット部が回転可能に設けられたデジタルスチルカメラにおいて、カメラ本体部の光学ファインダ−光軸と撮影レンズユニット部の撮影レンズ光軸がズレている状態での撮影を未然に防ぎ、これら光軸が互いに平行な位置関係にあるとき撮影許可情報を表示するようなデジタルスチルカメラを提供することである。
【０００５】
また、カメラ全体のデザイン等に大きな改変を加えることなく、撮影レンズユニット部の回転位置を簡単な構成で検出できるようにしたテジタルスチルカメラを提供することである。
【０００６】
さらには、撮影許可情報を光学ファインダ−を覗いている撮影者に明確に表示できるようにしたデジタルスチルカメラを提供することである。
【０００７】
【課題を解決するための手段】
上記課題を解決するために採用した本発明の手段は、カメラ本体部と、該カメラ本体部に回転可能に設けられた撮影レンズユニット部を備え、前記カメラ本体部に撮影範囲表示手段を含む光学ファインダ−を設けたデジタルスチルカメラにおいて、
前記撮影レンズユニット部の撮影レンズの光軸と前記カメラ本体部の光学ファインダ−の光軸が平行になったとき前記撮影範囲表示手段に撮影許可情報を表示する撮影許可情報表示手段を設けたことを特徴とする。
【０００８】
前記撮影レンズの光軸と光学ファインダ−の光軸が平行であるか否かを検出する手段は任意であるが、本発明の１つの実施態様によれば、前記カメラ本体部に、前記撮影レンズユニット部の回転位置検出手段を設け、前記撮影レンズユニット部の撮影レンズの光軸が前記光学ファインダ−の光軸と平行になる回転位置を前記回転位置検出手段が検出したとき、前記撮影範囲表示手段に撮影許可情報を表示するように構成することができる。
【０００９】
前記撮影レンズユニット部の回転位置検出手段の一例は、
前記撮影レンズユニット部に設けられた回転軸と、
前記回転軸に固定され、外周部の一部に切欠溝が形成された回転盤と、
前記回転盤の外周部と対応した位置に設けられたクリック棒と、
前記クリック棒の動きに応動して接離するスイッチ手段とを備え、
前記撮影レンズユニット部が所定方向を向いたとき、前記クリック棒が前記回転盤の切欠溝に係入し、前記スイッチ手段が作動するように構成することができる。
【００１０】
前記撮影範囲表示手段は光学ファインダ−を覗いたときに被写体の撮影範囲を表示する装置であり、例えば液晶式視野マスクである。この液晶式視野マスクにより撮影範囲表示部分が撮影許可時に透光状態、撮影不許可時に遮光状態に駆動するように構成することができる。また液晶式視野マスクに代えて通常の視野マスクの枠部に警報表示用の発光素子を設けてもよい。
【００１１】
【発明の実施の形態】
図１及び図２は本発明を適用したデジタルスチルカメラの全体外観図を示している。このデジタルスチルカメラ１０は、カメラ本体部１と、該カメラ本体部１の一側部に、前後方向に回転可能に設けられた撮影レンズユニット部２から構成されている。
【００１２】
前記カメラ本体部１の前面部には光学ファインダ−３を構成する対物窓３１が設けられ、裏面部には接眼窓３２が設けられている。またカメラ本体部１の裏面部には撮影画面表示用の液晶表示装置（ＬＣＤ）４が設けられており、後述の撮影レンズ８により写された画像を表示し、または撮影済の記録画像を記憶手段から読み出して再生表示することができる。なお、カメラ本体部１の上面部にはレリ−ズボタン５が設けられると共に、前記光学ファインダ−３と液晶表示装置４の切替スイッチを含む各種操作スイッチ６が設けられている（図面では２個並設されているが１個であってもよい）。
【００１３】
前記カメラ本体部１の光学ファインダ−３は、図３及び図４に示すように、前記対物窓３１から入射した被写体像を、対物レンズ３４ａ、反射ミラ−３５、ズ−ムレンズ３４ｂ，３４ｃ、反射ミラ−３５ｂ，３５ｃ、液晶式視野マスク３３、反射ミラ−３５ｄ及び接眼レンズ３４ｄを順に通して接眼窓３２に導いている。前記液晶式視野マスク３３は所定の電圧が印加されると中央の撮影範囲表示部分３３ｂが遮光状態又は透光状態に変化する。
【００１４】
前記ズ−ムレンズ３４ｂ，３４ｃは、それぞれ送り機構３８，３９を備えている。この送り機構３８，３９は駆動モ−タ３６，３７と、この駆動モ−タ３６，３７により回転する送りネジ３８ａ，３９ａと、ズ−ムレンズ３４ｂ，３４ｃ側に固定された軸受部３８ｂ，３９ｂを有しており、前記駆動モ−タ３６，３７の正転又は逆転によりズ−ムレンズ３４ｂ，３４ｃが前記送りネジ３８，３９ａに沿って上下方向に移動し、前記対物レンズ３４ａを通った被写体像を所定の倍率に変倍している。なお、これらズ−ムレンズ３４ｂ，３４ｃは後述する撮影レンズユニット２のズ−ムレンズ２１，２２と連動して移動するようになっている。
【００１５】
また、前記カメラ本体部１には、図３に示すように、給電バッテリ−８５、撮影画像を記録保存するコンパクトフラッシュ、スマ−トメディア等の記録カ−ド８６ａ、該記録カ−ド８６ａを制御する記録カ−ド用コントロ−ラ８６ｂ、前記液晶表示装置４の駆動回路８２、中央処理回路８４、後述する撮像素子７の画像処理回路８１、前記液晶表示装置４のバックライト８７等、各種構成部品が収納されている。
【００１６】
一方、前記撮影レンズユニット２の前面部には撮影レンズ８が設けられている。該撮影レンズ８は、図３に示すようにズ−ムレンズ２１，２２を備えており、それぞれ駆動モ−タ２３，２４等から構成される送り機構２５，２６により前後方向に移動するようになっている。このズ−ムレンズ２１，２２は、撮影光学系駆動回路８３により駆動制御される。また、前記撮影レンズユニット部２の内部には、ズ−ムレンズ２１，２２を通った被写体像を読み取る撮像素子（ＣＣＤ）７が設けられている。
【００１７】
図５は、前記撮影レンズユニット部２の回転位置検出装置の一例を示している（前記カメラ本体部１と前記撮影レンズユニット部２の内部に収納された上述の各種電子部品等は便宜上省略している）。前記撮影レンズユニット部２のカメラ本体側の側面部２ａの中央部には、スペ−サ−２０ａを介して回転軸２０が設けられており、該回転軸２０はカメラ本体１の対応する側面部１ａに開口されれた軸孔１１に回転可能に挿入されている。
【００１８】
前記回転軸２０の先端部には、外れ防止を兼ねた円盤状の回転盤１２が固着されており、図６に示すように該回転盤１２の外周方向の１箇所にはＶ字状の切欠溝１３が形成されている。この切欠溝１３の位置は、前記撮影レンズユニット部２の前面がカメラ本体部１の前面と同一方向を向いたとき、即ち、撮影レンズユニット部２の撮影レンズ８の光軸と、カメラ本体部１のファインダ光学系３の光軸が平行になったとき、後述するクリック棒１４の直下に位置するするように形成する。
【００１９】
一方、前記カメラ本体部１の前記回転盤１２の上方部には、前記側面部１ａから延びるＬ字状の支持ア−ム１５が形成されており、該支持ア−ム１５の起立部１５ａには、導電性のスイッチ接片１６，１７が上下に対応させて設けられている。これら上下スイッチ接片１６，１７は、後端部が支持ア−ム起立部１５ａに固着されており、上部スイッチ接片１６の先端部１６ａは下方に屈曲し、下部スイッチ接片１７の先端部１７ａにはクリック棒１４が固着されている。なお、下部スイッチ接片１７は上下方向にバネ性を有している。
【００２０】
前記クリック棒１４は、前記支持ア−ム１５の水平部１５ｂに形成された挿通孔１５ｃを挿通して下方に延びている。そして、球面状の先端部１４ａが前記回転盤１２の外周面と摺接している状態で、下部スイッチ接片１７をバネ力に抗して上方に押し上げ、下部スイッチ接片先端部１７ａが上部スイッチ接片先端部１６ａと接触する。また、前記回転盤１２の回転に伴い、前記切欠溝１３がクリック棒１４の位置にきたとき、下部スイッチ接片１７の回転盤１２の軸方向に働くバネ力によりクリック棒先端部１４ａが該切欠溝１３に係入し、下部スイッチ接片先端部１７ａが上部スイッチ接片先端部１６ａから離れることになる。
【００２１】
このように、前記クッリク棒先端部１４ａが前記回転盤１２の外周面と接触し、前記下部スイッチ接片先端部１７ａが上部スイッチ接片先端部１６ａと接触しているとき、前記撮影レンズユニット部２は前方又は後方のいずれかに回転し、前記撮影レンズと光学ファインダ−３の両光軸がズレていることになる。また、前記クリック棒先端部１４ａが回転盤１２の切欠溝１３に係入し、下部スイッチ接片先端部１７ａが上部スイッチ接片先端部１６ａから離れているとき、撮影レンズユニット部２の前面部とカメラ本体部１の前面部の面が揃い、撮影レンズ８と光学ファインダ−３の両光軸が平行になっている。したがって、前記上下スイッチ接片１６，１７のＯＮ−ＯＦＦにより前記撮影レンズユニット部２の回転位置を電気信号として検出することができる。
【００２２】
図７はデジタルスチルカメラ１０の電気回路のブロック構成図であり、前記スイッチ６により光学ファインダ−３による撮影モ−ドに切り替わると、中央処理回路８４を介して液晶表示装置４の駆動回路８２がＯＦＦとなる。この状態で、撮影レンズユニット部２が前方又は後方に回転していると、該撮影レンズユニット部２の回転位置検出回路１８（上述の上下スイッチ接片１６，１７のＯＮ−ＯＦＦ検出回路）からの信号により中央処理回路８４を介して前記光学ファインダ−３の液晶式視野マスク３３のスイッチ回路１９が閉成され、該視野マスク３３が遮光状態となって、接眼窓３２から覗いても被写体像が目視できなくなる。
【００２３】
また、撮影レンズユニット部２の前面部とカメラ本体部１の前面部の面が揃い、撮影レンズ８と光学ファインダ−３の光軸が平行になっているとき、前記回転位置検出回路１８からの信号により、中央処理回路８４を介して前記視野マスクスイッチ回路１９が開き、前記液晶式視野マスク３３が透光状態となり、前記対物窓３１から入射した被写体像を接眼窓３２から目視することができるようになる。このように、接眼窓３２から覗いたときの被写体像の目視の可否が撮影許可情報となる。
【００２４】
なお、撮影レンズ８のズ−ムレンズ２１，２２は、前記駆動回路８３により制御され、これらズ−ムレンズ２１，２２を通った撮影画像は撮像素子７で電気信号として読み取られた後、ＣＣＤ画像処理回路８１で画像圧縮処理等がなされ、中央処理回路８４及び記録カ−ドコントロ−ラ８６ｂを介して記録カ−ド８６ａに記録される。記録済の撮影画像を再生するときは、スイッチ６により再生モ−ドに切り替え（液晶表示装置回路８２はＯＮとなる）、記録カ−ド８６ａから所定の撮影画像を読み出し、液晶表示装置４に表示することができる。
【００２５】
以上のような構成のデジタルスチルカメラ１０は、撮影レンズユニット部２の撮影レンズ８を通った撮影画像を撮像素子７等を介してカメラ本体部１の液晶表示装置４に直接表示させて撮影することもできるが、前記給電バッテリ−８５の節電等の目的で、液晶表示装置４をＯＦＦにして撮影するような場合、前記光学ファインダ−３の接眼窓３２を覗きながら撮影することができる。
【００２６】
この場合、まず、上述のようにスイッチ６により液晶表示装置４によるファインダ−撮影モ−ドを光学ファインダ−撮影モ−ドに切り替える。そして、前記接眼窓３２を覗いて被写体像を目視できずに暗状態になっているときは、（上下スイッチ接片１６，１７が接触し、液晶式視野マスクスイッチ回路１９がＯＦＦとなり、液晶式視野マスク３３が遮光状態のとき）、撮影レンズユニット部２を前後方向に回転させ、回転軸２０と一緒に回転する前記回転盤１２の切欠溝１３に前記クッリック棒１４が係入するまで回転させる。
【００２７】
前記クッリク棒１４が回転盤１２の切欠溝１３に係入すると、撮影レンズユニット部２の回転に軽い引っ掛かりが生じ（いわゆるクリック感）、撮影レンズユニット部２が所定位置まで回転したことを感覚的に知ることができる。このとき前記下部スイッチ接片先端部１７ａが上部スイッチ接片部先端部１６ａから離れ、前記液晶式視野枠マスク３３のスイッチ回路１９がＯＮになるため、液晶式視野マスク３３が透光状態になり、接眼窓３２を覗くと対物窓３１から入射した被写体像を目視することができる。これにより、撮影レンズユニット部２の撮影レンズ８の光軸と、カメラ本体部１の光学ファインダ−３の光軸が平行になっており、撮影可能状態であることを知ることができる。
【００２８】
上述した実施態様では、液晶式視野マスク３３の明暗を撮影許可情報としているが、視野マスク３３（液晶でなくともよい）の枠部３３ａにＬＥＤ（発光素子）等で警告表示するような構成としてもよく、接眼窓３２を覗いたとき、容易に撮影許可情報を判別できる表示手段であればよい。また撮影レンズユニット部２の回転位置の検出手段は、例えばフォトセンサ−や磁気センサ−等により回転盤１２の所定位置（切欠溝１３に対応する位置）を検出する構成としてもよく、必要により他の任意の位置検出手段を採用することができる。その他、図５及び図６に示した示した撮影レンズユニット部２の回転位置検出手段は本発明を説明するために便宜的に示したものであり、細部の構成等は必要に応じて変更することができる。
【００２９】
【発明の効果】
以上説明した本発明によれば、カメラ本体部に撮影範囲表示用の液晶表示装置と光学ファインダ−を有するカメラ本体部に、撮影レンズユニット部が回転可能に設けられているデジタルスチルカメラにおいて、光学ファインダ−の光軸と撮影レンズの光軸が平行のときだけ撮影することができるため、光学ファインダ−が示す撮影範囲と撮影レンズにより写される撮影画像が大きくズレるようなトラブルを解消することができる。
【００３０】
また、カメラ全体のデザイン等に大きな改変を加えることなく、撮影レンズユニット部の回転位置を簡単な構成で検出することができ、さらには、撮影許可情報を光学ファインダ−を覗いている撮影者に明確に表示することができる。
【図面の簡単な説明】
【図１】本発明の実施形態を示すデジタルスチルカメラを前面方向から見た斜視図である。
【図２】図１に示すデジタルスチルカメラを裏面方向から見た斜視図である。
【図３】図１に示すデジタルスチルカメラの内部構成を示す概略斜視図である。
【図４】図１に示すデジタルスチルカメラの光学ファインダ−系を示す概略斜視図である。
【図５】図１に示すデジタルスチルカメラの撮影レンズユニット部の回転位置検出装置を示す断面概略図である。
【図６】図６のＡ矢視方向から見た部分断面概略側面図である。
【図７】図１に示すデジタルスチルカメラの電気回路のブロック構成図である。
【符号の説明】
１  カメラ本体部
２  撮影レンズユニット部
３  光学ファインダ−
４  液晶表示装置
５  レリ−スボタン
６  モ−ド切替スイッチ
７  撮像素子
８  撮影レンズ
１０  デジタルスチルカメラ
１１  軸孔
１２  回転盤
１３  切欠溝
１４  クリック棒
１５  支持ア−ム
１６  上部スイッチ接片
１７  下部スイッチ接片
１８  撮影レンズユニット部回転位置検出回路
１９  視野マスクスイッチ回路
２０  回転軸
３１  対物窓
３２  接眼窓
３３  視野マスク
３３ａ  枠部
３４ａ  対物レンズ
３５ａ，３５ｂ，３５ｃ，３５ｄ  反射ミラ−
３４ｂ，３４ｃ  ズ−ムレンズ
３４ｄ  接眼レンズ
３６，３７  ズ−ムレンズ駆動モ−タ−
３８，３９  ズ−ムレンズ送り機構
３８ａ，３９ａ  送りネジ
３８ｂ，３９ｂ  軸受部
８１  撮像素子画像処理回路
８２  液晶表示装置駆動回路
８３  撮影レンズ駆動回路
８４  中央処理回路
８５  給電バッテリ−
８６ａ  記録カ−ド
８６ｂ  記録カ−ド用コントロ−ラ−
８７  バックライト
【図１】
0003803182.tif 000002
【図２】
0003803182.tif 000003
【図３】
0003803182.tif 000004
【図４】
0003803182.tif 000005
【図５】
0003803182.tif 000006
【図６】
0003803182.tif 000007
【図７】
0003803182.tif 000008